(57)【要約】【課題】  装着したときや、長期にわたり使用した場合にあっても、文字、模様、印等の視認性が損なわれることがない腕章を提供すること。【解決手段】  文字、模様、印等が外面側から視認可能に表示された表示板２と、該表示板２の端部に連設した装着帯３と、からなり、腕に巻回して装着する腕章１であって、前記表示板２は硬質材にて構成されるとともに、腕周りに沿って装着されるように湾曲形状に形成されている。【選択図】  図１
2007025573.tif 000002
【特許請求の範囲】
【請求項１】
文字、模様、印等が外面側から視認可能に表示される表示板と、該表示板の端部に連設した装着帯と、からなり、腕に巻回して装着する腕章であって、
前記表示板は硬質材にて構成されるとともに、腕周りに沿って装着されるように湾曲形状に形成されていることを特徴とする腕章。
【請求項２】
前記表示板の内面に、装着時における位置ずれを防止する位置ずれ防止手段が設けられている、ことを特徴とする請求項１に記載の腕章。
【請求項３】
前記表示板には、前記文字、模様、印等が印刷された表示シートが剥離可能に貼着されている、ことを特徴とする請求項１または２に記載の腕章。
【請求項４】
前記表示板は方形に形成されており、該表示板の角部が略円弧状に形成されている、ことを特徴とする請求項１ないし３のいずれかに記載の腕章。
【請求項５】
前記表示板は透明材からなり、文字、模様、印等が前記表示板を透して視認可能に表示されている、ことを特徴とする請求項１ないし４のいずれかに記載の腕章。
【請求項６】
前記表示板に、複数の通気孔が形成されている、ことを特徴とする請求項１ないし５のいずれかに記載の腕章。
【発明の詳細な説明】
【技術分野】
【０００１】
本発明は、例えば警備、交通整理、案内、イベント等において使用される腕章に関する。
【背景技術】
【０００２】
従来、この種の腕章としては、帯状布等により形成され、腕に巻き付けて使用するとともに、止めピン等により袖に止めて使用するものがあった。
【０００３】
しかしながら、このような腕章にあっては、止めピンによって衣服が損傷することがあることから、文字、模様、印等が表示される表示部と、該表示部に連設した装着片（装着帯）とを具備し、腕に巻回して装着できるようにしたものがある（例えば、特許文献１参照）。
【０００４】
また、腕章を構成する本体と、該本体の裏面に設けられ、本体を腕に固定するための伸縮性を有する固定帯と、からなるものもある（例えば、特許文献２参照）。
【０００５】
【特許文献１】実開平５−７９５８１号公報（段落０００７〜００１０、第１、３図）
【特許文献２】特開２００３−１５９１０４号公報（段落００１４〜００１６、第４〜５図）
【発明の開示】
【発明が解決しようとする課題】
【０００６】
しかしながら、特許文献１、２に記載の腕章にあっては、表示部が薄地のプラスチック製のシート材からなるため、例えば衣服の上から装着したときに、衣服の皺等により折れ曲がったり、長期の使用によって多数の折り目がついて皺になることがあり、これにより表示部に表示された文字や印等の視認性が損なわれることがあった。
【０００７】
本発明は、このような問題点に着目してなされたもので、装着したときや、長期にわたり使用した場合にあっても、文字、模様、印等の視認性が損なわれることがない腕章を提供することを目的とする。
【課題を解決するための手段】
【０００８】
前記課題を解決するために、本発明の請求項１に記載の腕章は、
文字、模様、印等が外面側から視認可能に表示される表示板と、該表示板の端部に連設した装着帯と、からなり、腕に巻回して装着する腕章であって、
前記表示板は硬質材にて構成されるとともに、腕周りに沿って装着されるように湾曲形状に形成されていることを特徴としている。
この特徴によれば、表示板が腕周りに沿うように湾曲していることで、腕に装着した状態において、表示板に表示された文字、模様、印等を側方からでも視認することができるとともに、装着したときや、長期の使用によっても表示板が折れ曲がることなく、湾曲形状に保持されるばかりか、表示板の左右方向の傾動が規制されるため、文字、模様、印等の視認性が妨げられることがない。また、特に警備の際に使用する場合には、腕の所定部位が強固な表示板により保護されるので安全である。
【０００９】
本発明の請求項２に記載の腕章は、請求項１に記載の腕章であって、
前記表示板の内面に、装着時における位置ずれを防止する位置ずれ防止手段が設けられている、ことを特徴としている。
この特徴によれば、装着時における表示板の下方または腕周り方向の位置ずれが効果的に防止される。
【００１０】
本発明の請求項３に記載の腕章は、請求項１または２に記載の腕章であって、
前記表示板には、前記文字、模様、印等が印刷された表示シートが剥離可能に貼着されている、ことを特徴としている。
この特徴によれば、表示シートを表示板に貼着することで、文字、模様、印等を簡単に表示することができるとともに、文字、模様、印等の表示内容を変更する際には、表示板ごと交換することなく、表示シートを剥離して交換するだけで済むため、経済的である。
【００１１】
本発明の請求項４に記載の腕章は、請求項１ないし３のいずれかに記載の腕章であって、
前記表示板は方形に形成されており、該表示板の角部が略円弧状に形成されている、ことを特徴としている。
この特徴によれば、腕に装着したときに、表示板の角部が腕に当たって怪我等をすることがない。
【００１２】
本発明の請求項５に記載の腕章は、請求項１ないし４のいずれかに記載の腕章であって、
前記表示板は透明材からなり、文字、模様、印等が前記表示板を透して視認可能に表示されている、ことを特徴としている。
この特徴によれば、文字、模様、印等の外面側が表示板により保護されるため、使用により文字、模様、印等が損傷して視認性が損なわれることが防止される。
【００１３】
本発明の請求項６に記載の腕章は、請求項１ないし５のいずれかに記載の腕章であって、
前記表示板に、複数の通気孔が形成されている、ことを特徴としている。
この特徴によれば、通気孔により通気性が確保されるため、夏期等の使用時に汗ばんで使用者が不快に感じることを回避できるばかりか、表示板の軽量化を図ることができる。
【発明を実施するための最良の形態】
【００１４】
本発明の実施例を以下に説明する。
【実施例】
【００１５】
本発明の実施例を図面に基づいて説明すると、図１（ａ）は本発明の実施例としての腕章を斜め前方から見た状態を示す斜視図であり、（ｂ）は（ａ）の腕章を後方から見た状態を示す斜視図であり、図２（ａ）は図１の腕章における装着解除状態を示す平面図であり、（ｂ）は腕章における装着状態を示す平面図であり、図３は表示プレートを示す背面図であり、図４は腕章の装着状態の一例を示す斜視図である。
【００１６】
本実施例における腕章１は、図１〜図３に示すように、合成樹脂材により横長長方形状に形成された表示プレート２（表示板）と、該表示プレート２の両端に取り付けられ、該表示プレート２を腕周りに装着するための帯状の装着バンド３（装着帯）と、から構成されており、表示プレート２の表示面である外面２ａには、使用者が警備員である旨を示す文字が印刷された表示シート７が貼着されている。
【００１７】
なお、本実施例における表示シート７には「ＳＥＣＵＲＩＴＹ」及び「警備」という文字が印刷されているが、これら表示内容は種々に変更可能であり、例えば使用者の身分・資格・所属団体等を示す文字、あるいは模様、印、図形、記号等、表示内容は特に上記内容に限定されるものではない。
【００１８】
本実施例における表示プレート２は、硬質材の一例としての黒色のＡＢＳ樹脂材により、所定の肉厚（本実施例では約５ｍｍ）にて板状に構成されているとともに、特に図２に示されるように、腕への装着時において腕周りに沿うように、所定の曲率の円弧状をなすように湾曲形成されているとともに、装着時において腕周りの約半分近くを被覆可能な左右幅（長手幅）を有している。
【００１９】
このように表示プレート２が湾曲状に形成されていることで、腕への装着時において、表示プレート２が腕周りに沿うように装着され、これにより表示プレート２の左右端部側が該表示プレート２の左右方向への傾動（回転）を防止するガイドとして機能するため、表示された文字等が左右方向に傾くことが防止される。
【００２０】
表示プレート２の内面２ｂ、つまり装着時において被装着部となる腕もしくは衣服に当接する当接面には、図１（ｂ）及び図２に示されるように、所定の肉厚を有する長方形状のゴムパッド４が固着されており、装着時において該ゴムパッド４と前記被装着部とが当接することによって、ゴムパッド４の摩擦抵抗力により、表示プレート２の下方または腕周り方向への位置ずれが防止されるようになっている。
【００２１】
つまり、ゴムパッド４は本発明の位置ずれ防止手段を構成している。なお、本実施例においては位置ずれ防止手段として長方形状のゴムパッド４が適用されていたが、例えば表示プレート２の内面２ｂを凹凸状に形成することにより位置ずれ防止手段を構成してもよい。
【００２２】
表示プレート２の長手方向の両端部には、上下方向を向くスリット５ａ、５ｂが、表示プレート２の上下幅にわたって形成されており、これらスリット５ａ、５ｂには装着バンド３が挿通されている。本実施例における装着バンド３は、表示プレート２の上下幅よりも短寸の上下幅を有し、一方のスリット５ａに挿通された端部Ｔ１がスリット５ａの近傍位置にて止着されている。
【００２３】
図２に示されるように、装着バンド３の外面３ａにおける端部Ｔ２からは、所定長さの面ファスナー６ａ（フック）が縫着されているとともに、該面ファスナー６ｂの内側端部近傍からは、端部Ｔ１まで延びる面ファスナー６ｂ（ループ）が縫着されており、特に図２（ａ）に示されるように、装着バンド３の端部Ｔ２をスリット５ｂに内面側から挿通した後、図２（ｂ）に示されるように外側に折り返して面ファスナー６ａを面ファスナー６ｂに押し当てることで、装着バンド３における端部Ｔ２側が面ファスナー６ａ、６ｂを介して係止され、所定長さの装着バンド３が形成されるようになっている。
【００２４】
よって、例えば図４に示されるように腕章１を腕（上腕部）に装着する際にあっては、図２（ａ）に示されるように、装着バンド３の端部Ｔ２をスリット５ｂに挿通した状態で腕に挿通する。次いで、表示プレート２を腕の外側に向けた状態で所望の上下位置に配置した後、装着バンド３の端部Ｔ２を折り返しながら引っ張って腕に適度に締め付けるようにして、面ファスナー６ａを面ファスナー６ｂに押し当てて係止させることで、腕章１を片手で腕に簡単に装着することができる。
【００２５】
なお、面ファスナー６ｂは面ファスナー６ａよりも長寸をなしており、面ファスナー６ａを面ファスナー６ｂの長さ方向の所定位置に押し当てて係止させることで、使用者の腕周りの太さに合わせて装着バンド３を所望の長さに調整することができる。
【００２６】
また、図１及び図３に示されるように、表示プレート２の四隅の角部Ｃ、及び表示プレート２の上辺部Ｈ及び下辺部Ｌは、面取り加工が施されることにより略円弧状に形成されているため、図４に示されるように上腕部に装着した状態において、例えば腕を折り曲げたとき等において、硬質材からなる表示プレート２の角部Ｃや上下辺部Ｈ、Ｌが折り曲げた前腕部に当たりにくくなるばかりか、当たっても怪我をしにくいため安全である。
【００２７】
このように、本発明の実施例としての腕章１にあっては、文字、模様、印等が表示される表示プレート２が腕周りに沿って湾曲していることで、腕に装着した状態において、表示された文字、模様、印等を側方からでも視認することができるとともに、装着したときや、長期の使用によっても、表示プレート２、すなわち表示面が折れ曲がることなく湾曲形状に保持されるため、文字、模様、印等の視認性が妨げられることがない。
【００２８】
また、表示プレート２が湾曲状に形成され、装着バンド３により適度に締め付けて腕周りに沿うように装着されることで、装着時において、表示プレート２の左右端部側が該表示プレート２の左右方向への傾動を防止するガイドとして機能するため、表示された文字等が左右に傾いたり上下反転することが防止される。
【００２９】
さらに、特に警備の際に使用する場合には、上腕部の所定部位が強固な表示プレート２により保護され、防具としての機能を有するため、安全である。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
例えば、前記実施例における表示プレート２は軽量で耐久性を有するＡＢＳ樹脂材にて構成されていたが、本発明における表示板は硬質材からなるものであれば、その材質はＡＢＳ樹脂材に限定されるものではなく、例えばポリカーボネイト樹脂材等の他の合成樹脂材であってもよいし、あるいはアルミやステンレス等の金属板にて構成してもよい。
【００３２】
また、表示プレート２の色も上記実施例に記載した黒色に限定されるものではなく、任意に変更可能であるとともに、形状も長方形状に限定されるものではなく、腕周りに沿うように装着できる長さを有していればよい。
【００３３】
また、前記実施例においては、表示プレート２の外面２ａに予め文字、模様、印等が印刷された表示シート７が貼着されていたが、外面２ａに文字、模様、印等を直接印刷または刻印してもよいし、あるいは文字、模様、印等が刺繍された布等を貼着してもよい。さらには、例えば文字、模様、印等を表示可能であるとともに、湾曲可能なシート状の表示装置｛例えばＥＬ（エレクトロルミネッセンス）表示装置｝等を外面２ａに貼着してこれにより表示部を構成してもよい。
【００３４】
また、前記実施例においては、表示プレート２の外面２ａに、表面に文字、模様、印等が印刷された表示シート７が貼着されていたが、例えば図５に示される本発明の変形例としての腕章１’のように、表示プレート２を透明な合成樹脂材（透光性を有する素材）等にて構成するとともに、該表示プレート２の内面２ｂ側に表示シート７を貼着することにより、該表示プレート２の外面２ａ側から、表示プレート２を透してその内側の表示シート７の表面に印刷された文字、模様、印等を視認できるようにしてもよく、このようにすれば、文字、模様、印等が表示プレート２により保護され、使用時において文字、模様、印等が損傷することが回避されるので、使用により視認性が損なわれることがない。つまり、文字、模様、印等が表示プレート２の外面２ａ側から視認可能に構成されていれば、文字、模様、印等は必ずしも外面２ａ側に設けられていなくてもよい。
【００３５】
さらに図６には、本発明の他の変形例としての腕章１’’が示されている。本変形例としての腕章１’’の表示プレート２には、表示プレート２を貫通する複数の通気孔１０が、表示部に配置されている文字部を避けるように形成されている。これにより、装着時において、腕における表示プレート２にて被覆される被覆部における通気性が確保されるため、夏期等の使用時に汗ばんで使用者が不快に感じることを回避できるばかりか、軽量化を図ることができる。
【００３６】
なお、このような通気孔１０を形成する場合、ゴムパッド４により通気孔１０が閉塞されないように、表示プレート２とともにその内面２ｂ側に設けたゴムパッド４も貫通するように通気孔１０を形成してもよいし、あるいは小さなゴムパッドを複数箇所に点在配置してもよい。
【００３７】
また、前記実施例における装着バンド３は、面ファスナー６ａ、６ｂにて長さ調整が行えるものであったが、例えばバックルやフック等にて長さ調整できるものであってもよい。さらに、装着バンドを伸縮性を有するゴムバンド等にて構成し、その両端が表示板の両端に予め止着されていてもよい。
【図面の簡単な説明】
【００３８】
【図１】（ａ）は本発明の実施例としての腕章を斜め前方から見た状態を示す斜視図であり、（ｂ）は（ａ）の腕章を後方から見た状態を示す斜視図である。
【図２】（ａ）は図１の腕章における装着解除状態を示す平面図であり、（ｂ）は腕章における装着状態を示す平面図である。
【図３】表示プレートを示す背面図である。
【図４】腕章の装着状態の一例を示す斜視図である。
【図５】本発明の変形例としての腕章を示す斜視図である。
【図６】同じく本発明の他の変形例としての腕章を示す斜視図である。
【符号の説明】
【００３９】
１、１’、１’’    腕章
２                表示プレート（表示板）
２ａ              外面
２ｂ              内面
３                装着バンド
４                ゴムパッド
５ａ、５ｂ        スリット
６、６ｂ          面ファスナー
７                表示シート
１０              通気孔
Ｔ１、Ｔ２        端部
【図１】
2007025573.tif 000003
【図２】
2007025573.tif 000004
【図３】
2007025573.tif 000005
【図４】
2007025573.tif 000006
【図５】
2007025573.tif 000007
【図６】
2007025573.tif 000008